(57)【要約】【課題】壁つなぎの全長を、仮設足場に連結する前に、電動ドライバーを利用して簡単容易に調整する手段として活用出来る操作具を提供する。【解決手段】壁つなぎの筒状本体２に対し出退自在な螺軸体３の外端に、パイプクランプ５の底板部５ａを相対回転自在に貫通する回転操作用太軸部３ａと、この回転操作用太軸部３ａから同心状に形成され且つパイプクランプの底板部５ａの内側に位置する円錐台形の頭部３ｃが設けられ、電動ドライバーに取り付けられて回転駆動される操作具１４は、先端筒状部１４ｃの内側の六角孔１４ｄに圧入固定される六角軸部１５ａを備えた弾性素材から成る治具１５を備え、この治具１５の先端面に同心状に形成された円錐台形の凹入部１５ｃの円錐台形の内周面を前記頭部３ｃの円錐台形の外周面に外嵌圧接させることが出来る。【選択図】図４
2019203241.tif 000002
【特許請求の範囲】
【請求項１】
壁面に仮設足場などを取り付けるための壁つなぎの操作具であって、前記壁つなぎは、壁面側に取り付けるための取付け用螺軸、この取付け用螺軸を内端に備えた筒状本体、この筒状本体の外端側に設けられた雌ネジ孔部に螺嵌して前記筒状本体に対し出退自在な螺軸体、及びこの螺軸体の外端に取り付けられたクランプを備え、前記螺軸体には、外端から同心状に突設され且つ前記クランプの底板部を相対回転自在に貫通する回転操作用太軸部と、この回転操作用太軸部から同心状に形成され且つ前記クランプの底板部の内側に位置する円錐台形の頭部が設けられ、前記操作具は、電動ドライバーに取り付けられて回転駆動されるもので、先端筒状部の内側がボルト頭部に嵌合させる六角孔となっている操作具であって、この六角孔に圧入固定される弾性素材から成る治具を備え、この治具は、前記六角孔に圧入固定される六角軸部と、前記先端筒状部の先端周面に当接する大径部、及び先端面に同心状に形成された円錐台形の凹入部を備え、この凹入部の円錐台形の内周面を前記頭部の円錐台形の外周面に外嵌圧接させることが出来るように構成されている、壁つなぎの操作具。
【発明の詳細な説明】
【技術分野】
【０００１】
本発明は、仮設足場などを壁面に連結するために使用される壁つなぎの操作具に関するものである。
【背景技術】
【０００２】
前記壁つなぎは、従来周知のもので、壁面側に取り付ける螺軸、この螺軸を内端に備えた筒状本体、この筒状本体の外端側に設けられた雌ネジ孔部に螺嵌して前記筒状本体に対し出退自在螺軸体、及びこの螺軸体の外端に取り付けられたクランプを備え、前記螺軸体には、外端から同心状に突設され且つ前記クランプの底板部を相対回転自在に貫通する回転操作用太軸部と、この回転操作用太軸部から同心状に形成され且つ前記クランプの底板部の内側に位置する円錐台形の頭部が設けられたものである。このような壁つなぎは、壁面に埋設されている雌ネジ孔付きインサートの雌ネジ孔に内端の螺軸を螺入して、壁面に取り付け、壁面に連結させる仮設足場と壁面との間の間隔に応じて、前記筒状本体に対し前記螺軸体を手回しで回転させて、壁面と前記クランプとの間の壁つなぎの全長を大まかに調整し、仮設足場を構成している鋼管などに前記クランプを締結させた後に、必要に応じて前記回転操作用太軸部を、例えばこの回転操作用太軸部に設けられている直径方向の貫通孔にシノを差し込んで手回しする方法で回転操作して、前記筒状本体に対し前記螺軸体を出し入れすることにより、壁つなぎの全長を微調整して、仮設足場をガタツキなく壁面に連結させている。
【発明の概要】
【発明が解決しようとする課題】
【０００３】
上記のように使用される壁つなぎでは、壁面に連結させる仮設足場と壁面との間の間隔に応じて、壁面に内端を取り付けた状態の前記筒状本体に対し、前記螺軸体を手回しで回転させて、壁面と前記クランプとの間の間隔を大まかに調整しなければならないが、細い螺軸体を多数回手回しで回転操作することに、多大の手間と時間を要していた。又、筒状本体に対し螺軸体の突出量が少ないときは、螺軸体を握り難いために一層手間のかかる作業となっていた。
【課題を解決するための手段】
【０００４】
本発明は、上記のような従来の問題点を解消することの出来る壁つなぎの操作具を提案するものであって、本発明に係る壁つなぎの操作具は、後述する実施例との関係を理解し易くするために、当該実施例の説明において使用した参照符号を括弧付きで付して示すと、壁面に仮設足場などを取り付けるための壁つなぎ(1)の操作具(14)であって、前記壁つなぎ(1)は、壁面側に取り付けるための取付け用螺軸(4)、この取付け用螺軸(4)を内端に備えた筒状本体(2)、この筒状本体(2)の外端側に設けられた雌ネジ孔部(8)に螺嵌して前記筒状本体(2)に対し出退自在な螺軸体(3)、及びこの螺軸体(3)の外端に取り付けられたクランプ(5)を備え、前記螺軸体(3)には、外端から同心状に突設され且つ前記クランプ(5)の底板部(5a)を相対回転自在に貫通する回転操作用太軸部(3a)と、この回転操作用太軸部(3a)から同心状に形成され且つ前記クランプ(5)の底板部(5a)の内側に位置する円錐台形の頭部(3c)が設けられ、前記操作具(14)は、電動ドライバーに取り付けられて回転駆動されるもので、先端筒状部(14c)の内側がボルト頭部に嵌合させる六角孔(14d)となっている操作具(14)であって、この六角孔(14d)に圧入固定される弾性素材から成る治具(15)を備え、この治具(15)は、前記六角孔(14d)に圧入固定される六角軸部(15a)と、前記先端筒状部(14c)の先端周面に当接する大径部(15b)、及び先端面に同心状に形成された円錐台形の凹入部(15c)を備え、この凹入部(15c)の円錐台形の内周面を前記頭部(3c)の円錐台形の外周面に外嵌圧接させることが出来る構成となっている。
【発明の効果】
【０００５】
上記本発明の構成によれば、電動ドライバーにセットされた前記操作具の先端筒状部の六角孔に前記治具の六角軸部を、その大径部が前記先端筒状部の先端周面に当接する深さまで弾性に抗して圧入しておく。一方、壁面に埋設されている雌ネジ孔付きインサートの雌ネジ孔に内端の螺軸を螺入して、壁つなぎを壁面に取り付け、壁面に連結させる仮設足場と壁面との間の間隔に応じて、この壁つなぎの全長を大まかに調整するときは、使用前の前記クランプを開いて、このクランプの底板部の内側に位置する前記円錐台形の頭部に、電動ドライバーにセットされている操作具の先端の治具の円錐台形の凹入部を同心状に外嵌圧接させる。この状態で電動ドライバーを稼働させて、操作具と一体に回転している治具の回転力を、円錐台形の凹入部と壁つなぎ側の円錐台形の頭部との間の摩擦を介して螺軸体に伝達させ、当該螺軸体を筒状本体に対し回転させて、その回転方向に応じて筒状本体に対し螺軸体を退入又は進出させ、筒状本体の内端からクランプまでの壁つなぎの全長を短縮又は伸長させることが出来る。この後は従来同様に、クランプを仮設足場の鋼管などに締結させれば良い。仮設足場のガタツキを解消する必要があれば、従来のようにシノなどを利用して前記回転操作用太軸部を手回しで回転操作すれば良い。
【０００６】
以上のように本発明の操作具を使用することにより、電動ドライバーを利用して仮設足場などへの連結前の、内端が壁面に結合された状態の壁つなぎの全長の調整を簡単容易且つ迅速に行えるので、全体の作業の大幅な効率アップを図ることが出来る。しかも、螺軸体の回転操作用太軸部に六角頭部を形成させる必要が無いので、壁つなぎ自体のコストアップも免れる。
【０００７】
上記本発明を実施する場合、前記筒状本体は、内端に取付け用螺軸が結合された外管と、この外管に対して伸縮自在に内嵌する内管とで構成し、この内管の外端部に前記螺軸体が螺合貫通する雌ネジ孔部を設け、内管と外嵌とは、段階的に長さ調整自在に構成することが出来る。
【図面の簡単な説明】
【０００８】
【図１】図１Ａは、使用前の壁つなぎの横断平面図、図１Ｂは、使用前の壁つなぎの側面図である。
【図２】図２Ａは、操作具本体の一部横断平面図と取付け前の治具の平面図、図２Ｂは、操作具本体に治具を取り付けた状態の一部横断平面図、図２Ｃは、治具の斜視図である。
【図３】図３は、壁つなぎの長さ調整直前の状態を示す一部横断平面図である。
【図４】図４は、壁つなぎの長さ調整時の状態を示す一部横断平面図である。
【発明を実施するための形態】
【０００９】
図１Ａ及び図１Ｂに示すように、壁つなぎ１は、筒状本体２、螺軸体３、取付け用螺軸４、及びパイプクランプ５から構成されている。筒状本体２は、内端に取付け用螺軸４が連結された外管６と、この外管６に対して伸縮自在に内嵌する内管７とで構成され、この内管７の外端小径部に前記螺軸体３が螺合貫通する雌ネジ孔部８が設けられている。外管６と内管７とは、段階的に長さ調整自在に構成されている。即ち、内管７の内端部に直径方向に固着された筒状体９に、ロックピン１０とこのロックピン１０を突出方向に付勢するコイルバネ１１を内装し、外管６には、その長さ方向適当間隔おきに、前記ロックピン１０の外端部が嵌合する貫通孔１２が設けられている。長さ調整を行うときは、貫通孔１２から突出しているロックピン１０を、その先端面を指先で押圧退入させて貫通孔１２から内側に離脱させた状態で、外管６に対し内管７を長さ方向に出し入れし、新たにロックピン１０に対応させた別の貫通孔１２にロックピン１０を、コイルバネ１１の付勢力で嵌入させれば良い。
【００１０】
前記取付け用螺軸４は、軸体４ａの外端に螺軸部４ｂが設けられると共に、軸体４ａの内端に、この軸体４ａから離れるに従って直径が大きくなり最大直径のところで軸心に対し直交する平坦円形面４ｃを備えた裁頭球面体４ｄが一体に形成され、この裁頭球面体４ｄの前記平坦円形面４ｃ上には左右一対の突起４ｅが突設され、この裁頭球面体４ｄと螺軸部４ｂとの間で軸体４ａに、直径方向両側から押し潰した回転操作のための偏平軸部４ｆが設けられている。この取付け用螺軸４の裁頭球面体４ｄが、外管６の内端に形成した部分球面状絞り部６ａの内側に遊嵌され、左右一対の突起４ｄの間を通るように、裁頭球面体４ｄの前記平坦円形面４ｃに隣接する位置で、外管６にボルトナット１３が直径方向に貫通する状態に取り付けられている。この構成により、取付け用螺軸４が外管６の内端から首振り自在に突出すると共に、外管６を持って取付け用螺軸４を回転操作させることが可能になっている。
【００１１】
螺軸体３の外端部には、この螺軸体３より大径で直径方向に貫通する回転操作用貫通孔３ｂを備えた回転操作用太軸部３ａが一体形成されると共に、当該回転操作用太軸部３ａの外端に円錐台形の頭部３ｃが同心状に一体形成されている。従って、パイプクランプ５の底板部５ａに、前記回転操作用太軸部３ａより大径で頭部３ｂより小径の貫通孔を設けておき、この貫通孔に、底板部５ａの内側から螺軸体３を挿通し、頭部３ｃが底板部５ａの内側に隣接する状態で、底板部５ａから突出している回転操作用太軸部３ａに、直径方向両側に張り出す抜け止め用突起部３ｄを形成して、パイプクランプ５と螺軸体３とを連結一体化している。
【００１２】
パイプクランプ５は、前記底板部５ａを備えた基材部５ｂと、この基材部５ｂの一端部に連結軸５ｃによって連結されると共に当該連結軸５ｃの周りに開閉揺動自在な押え部材５ｄ、及び基材部５ｂの他端部に支軸５ｅにより一端が揺動自在に軸支された締結用ボルトナット５ｆから構成されたもので、基材部５ｂと押え部材５ｄは、内側が解放されたコ字形断面構造のものであり、前記螺軸体３の頭部３ｃは、基材部３ｂにおける内側凹入空間内に位置している。又、基材部５ｂと押え部材５ｄは、その両者間で鋼管を挟持出来る円弧形の内側縁を有し、この基材部５ｂと押え部材５ｄとの間で鋼管を挟持させた状態で、締結用ボルトナット５ｆのボルトを押え部材５ｄの遊端Ｕ字形部に嵌合させた状態で、締結用ボルトナット５ｆのナットを締め込むことにより、挟んだ鋼管を基材部５ｂと押え部材５ｄとの間で締結させることが出来るものである。
【００１３】
以上のように構成された壁つなぎ１に使用される操作具、即ち、図２の各図に示す操作具１４は、電動ドライバー（インパクトドライバーを含む）に取り付けられて回転駆動されるもので、本体１４ａの内端に、電動ドライバーの駆動軸の六角孔に挿入係止される六角軸部１４ｂが同心状に突設され、本体１４ａの先端筒状部１４ｃの内側がボルト頭部に嵌合させる六角孔１４ｄとなっている。この操作具１４の前記六角孔１４ｄに圧入固定される、硬質ゴムなどの弾性素材から一体成型される治具１５が併用される。この治具１５は、前記六角孔１４ｄに圧入固定される六角軸部１５ａと、前記先端筒状部１４ｃの先端周面に当接する大径部１５ｂ、及びこの大径部１５ｂの先端面から内部に向かって凹入するように同心状に形成された円錐台形の凹入部１５ｃを備えたものである。この凹入部１５ｃの円錐台形面は、前記壁つなぎ１における螺軸体３の頭部３ｃの円錐台形面と、サイズ及び形状がほぼ同一のものである。
【００１４】
先に説明したように、電動ドライバーにセットされた操作具１４の先端筒状部１４ｃの六角孔１４ｄに前記治具１５の六角軸部１５ａを、その大径部１ｂが前記先端筒状部１４ｃの先端周面に当接する深さまで弾性に抗して圧入しておく。一方、壁面に埋設されている雌ネジ孔付きインサートの雌ネジ孔に内端の取付け用螺軸４の螺軸部４ｂを螺入して、壁つなぎ１を壁面に取り付ける。この後、壁面に連結させる仮設足場と壁面との間の間隔に応じて、この壁つなぎ１の全長を大まかに調整するときは、図３及び図４に示すように、使用前のクランプ５の基材部５ｂに対して押え部材５ｄと締結用ボルトナット５ｆを外側に開いて、基材部５ｂの底板部５ａの内側に位置する前記円錐台形の頭部３ｃに、電動ドライバーにセットされている操作具１４の先端の治具１５の円錐台形の凹入部１５ｃを同心状に外嵌させると共に、電動ドライバーで操作具１４を螺軸体３の軸心方向に押圧させる。
【００１５】
この状態で電動ドライバーを稼働させて、操作具１４と一体に回転している治具１５の回転力を、円錐台形の凹入部１５ｃと壁つなぎ１側の円錐台形の頭部３ｃとの間の摩擦を介して螺軸体３に伝達させ、当該螺軸体３を筒状本体２に対し回転させて、その回転方向に応じて筒状本体２に対し螺軸体３を退入又は進出させ、筒状本体２の内端からパイプクランプ５までの壁つなぎ１の全長を短縮又は伸長させることが出来る。この後は従来同様に、パイプクランプ５を仮設足場の鋼管などに締結させれば良い。仮設足場のガタツキを解消する必要があれば、従来のようにシノなどを、壁つなぎ１の螺軸体３の回転操作用太軸部３ａに設けられている回転操作用貫通孔３ｂに差し込んで、前記回転操作用太軸部３ａを介して螺軸体３を手回しで回転操作すれば良い。
【００１６】
尚、図示例では、治具１５の六角軸部１５ａから小径の円柱軸部１５ｄを内向きに同心状に連設し、円錐台形の凹入部１５ｃの小径奥端から、前記円柱軸部１５ｄの領域内に少し入り込む長さの円柱状孔１５ｅを連設しているが、これらは必須のものではない。
【産業上の利用可能性】
【００１７】
本発明の壁つなぎの操作具は、仮設足場などを壁面に連結するために使用される壁つなぎの全長を、仮設足場に連結する前に、電動ドライバーを利用して簡単容易に調整する手段として活用出来る。
【符号の説明】
【００１８】
１    壁つなぎ
２    筒状本体
３    螺軸体
３ａ    回転操作用太軸部
３ｂ    回転操作用貫通孔
３ｃ    円錐台形の頭部
３ｄ    抜け止め用突起部
４    取付け用螺軸
５    パイプクランプ
５ａ    底板部
５ｂ    基材部
５ｃ    連結軸
５ｄ    押え部材
５ｅ    支軸
５ｆ    締結用ボルトナット
６    外管
６ａ    部分球面状絞り部
７    内管
８    雌ネジ孔部
１０    ロックピン
１１    コイルバネ
１２    貫通孔
１３    ボルトナット
１４    操作具
１４ａ    本体
１４ｂ    六角軸部
１４ｃ    先端筒状部
１４ｄ    六角孔
１５    治具
１５ａ    六角軸部
１５ｂ    大径部
１５ｃ    円錐台形の凹入部
【図１】
2019203241.tif 000003
【図２】
2019203241.tif 000004
【図３】
2019203241.tif 000005
【図４】
2019203241.tif 000006